(57)【要約】【課題】基板ケースの取り外し及び開封に従来よりも時間と手間がかかるようにすると共に基板ケースを装着したままの状態で基板ケースに穴を空けることを不可能乃至困難とすることにより、基板ケースに格納された基板に対するゴト行為を効果的に防止できる遊技機を提供する。【解決手段】基板ケース２４を閉鎖状態で封止可能な封止手段４３と、基板ケース２４を装着可能な基板ケース装着部３１とを備え、封止手段４３による封止後は封止損壊部１２２等を損壊しなければ基板ケース２４を開封できないように構成された遊技機で、基板ケース２４の外側から封止損壊部１２２等を覆う封止カバー３２と、基板ケース２４の外側からＲＯＭ等の電子部品４４の装着部分を覆う開閉可能な電子部品カバー３３とを基板ケース装着部３１に設け、カバー結合手段１５４により電子部品カバー３３を基板ケース２４に結合したものである。【選択図】図５
2010279819.tif 000002
【特許請求の範囲】
【請求項１】
第１ケース体（４１）と第２ケース体（４２）とで開閉可能に構成され且つ各種電子部品（４４）が装着された基板（２３）を格納可能な基板ケース（２４）と、前記第１ケース体（４１）と前記第２ケース体（４２）とを閉鎖状態で封止可能な封止手段（４３）と、遊技機本体（１）に設けられ且つ前記基板ケース（２４）を装着可能な基板ケース装着部（３１）とを備え、前記基板ケース（２４）は、前記封止手段（４３）による封止後は所定の封止損壊部（１２１，１２２）を損壊しなければ開封できないように構成された遊技機において、前記基板ケース装着部（３１）に設けられ且つ前記基板ケース（２４）の外側から前記封止損壊部（１２１，１２２）を覆う封止カバー（３２，１８１）と、前記基板ケース装着部（３１）に設けられ且つ前記基板ケース（２４）の外側から所定の電子部品（４４）の装着部分を覆う電子部品カバー（３３，１８１）と、前記封止カバー（３２，１８１）と前記電子部品カバー（３３，１８１）との少なくとも一方を前記基板ケース（２４）に結合するカバー結合手段（１５４）とを備えたことを特徴とする遊技機。
【請求項２】
前記カバー結合手段（１５４）による結合後は所定の結合損壊部（１６９）を損壊しなければその結合状態を解除できないように構成されていることを特徴とする請求項１に記載の遊技機。
【請求項３】
前記封止カバー（３２）は前記基板ケース装着部（３１）に対して固定的に設けられ、前記電子部品カバー（３３）は、前記基板ケース（２４）を前記基板ケース装着部（３１）に対して着脱可能な開状態と前記基板ケース装着部（３１）に装着された基板ケース（２４）を覆う閉状態とに切り換え可能に設けられていることを特徴とする請求項１又は２に記載の遊技機。
【請求項４】
前記封止カバーと前記電子部品カバーとが１つの開閉カバー（１８１）上に設けられ、該開閉カバー（１８１）は、前記基板ケース（２４）を前記基板ケース装着部（３１）に対して着脱可能な開状態と前記基板ケース装着部（３１）に装着された基板ケース（２４）を覆う閉状態とに切り換え可能に設けられていることを特徴とする請求項１又は２に記載の遊技機。
【請求項５】
前記基板ケース（２４）には、前記基板（２３）に設けられたコネクタ（４５）を露出させる開口状のコネクタ嵌合孔（６３）が形成され、前記封止カバー（３２，１８１）又は電子部品カバー（３３，１８１）に、前記コネクタ（４５）に接続されたハーネス側コネクタ（１８２）の離脱方向への移動を規制するコネクタ規制部（１８３）を設けたことを特徴とする請求項１〜４の何れかに記載の遊技機。
【発明の詳細な説明】
【技術分野】
【０００１】
本発明は、パチンコ機、スロットマシン等の遊技機に係り、詳しくは、第１ケース体と第２ケース体とで開閉可能に構成され且つＲＯＭを含む電子部品が装着された基板を格納可能な基板ケースと、第１ケース体と第２ケース体とを閉鎖状態で封止可能な封止手段と、遊技機本体に設けられ且つ基板ケースを装着可能な基板ケース装着部とを備え、その基板ケースは、封止手段による封止後は所定の封止損壊部を損壊しなければ開封できないように構成された遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に組み合わせることにより略箱形となるように構成されており、遊技機本体に対しては着脱容易な状態で装着されている。
【０００３】
また、遊技機の基板ケースには、基板に対する不正防止のための封止手段を備えたものがある。この封止手段は、第１ケース体と第２ケース体とを閉鎖状態で現状復帰不能に封止するもので、一旦基板を格納したまま封止してしまうと、所定の封止損壊部を損壊して開封の痕跡を残さない限り、基板ケースを開いて内部の基板を取り出すことができないようになっている（例えば特許文献１）。
【０００４】
ところで、この種の遊技機の基板に対するゴト行為として、（１）基板ケースの封止損壊部を損壊して基板ケースを開放し、内部のＲＯＭを不正ＲＯＭに交換する、（２）基板を基板ケースごと交換する、或いは（３）基板ケースに穴を空けて内部のＲＯＭを不正ＲＯＭに交換する、といった行為が問題となっている。
【先行技術文献】
【特許文献】
【０００５】
【特許文献１】特開２００３−３８８０５号公報
【発明の概要】
【発明が解決しようとする課題】
【０００６】
上記（１）〜（３）のようなゴト行為は、遊技ホール内で他人の目を盗んで短時間で行う必要がある。その点、特許文献１に記載のような従来の遊技機では、基板ケースを遊技機本体に装着したままで封止損壊部を損壊して基板ケースを短時間で開放することが可能であり、また基板ケース自体の取り外しについては更に短時間で行うことが可能であり、また基板ケースを取り外すことなく基板ケースに容易に穴を空けることができるため、上記のようなゴト行為を行うには好都合であったと考えられる。
【０００７】
以上のことから、上記のようなゴト行為を防止する方策としては、基板ケースの取り外し及び開封に従来よりも時間と手間がかかるようにすると共に、基板ケースを装着したままの状態で基板ケースに穴を空けることを不可能乃至困難とすることが有効であると考えられる。
【０００８】
本発明は、上記事情に鑑みてなされたものであり、その目的とするところは、基板ケースの取り外し及び開封に従来よりも時間と手間がかかるようにすると共に基板ケースを装着したままの状態で基板ケースに穴を空けることを不可能乃至困難とすることにより、基板ケースに格納された基板に対するゴト行為を効果的に防止できる遊技機を提供することにある。
【課題を解決するための手段】
【０００９】
本発明は、第１ケース体４１と第２ケース体４２とで開閉可能に構成され且つ各種電子部品４４が装着された基板２３を格納可能な基板ケース２４と、前記第１ケース体４１と前記第２ケース体４２とを閉鎖状態で封止可能な封止手段４３と、遊技機本体１に設けられ且つ前記基板ケース２４を装着可能な基板ケース装着部３１とを備え、前記基板ケース２４は、前記封止手段４３による封止後は所定の封止損壊部１２１，１２２を損壊しなければ開封できないように構成された遊技機において、前記基板ケース装着部３１に設けられ且つ前記基板ケース２４の外側から前記封止損壊部１２１，１２２を覆う封止カバー３２，１８１と、前記基板ケース装着部３１に設けられ且つ前記基板ケース２４の外側から所定の電子部品４４の装着部分を覆う電子部品カバー３３，１８１と、前記封止カバー３２，１８１と前記電子部品カバー３３，１８１との少なくとも一方を前記基板ケース２４に結合するカバー結合手段１５４とを備えたものである。
【発明の効果】
【００１０】
本発明によれば、基板ケースの取り外し及び開封に従来よりも時間と手間を要すると共に、基板ケースを装着したままの状態で基板ケースに穴を空けることが困難となり、基板ケースに格納された基板に対するゴト行為を効果的に防止できる。
【図面の簡単な説明】
【００１１】
【図１】本発明の第１の実施形態を示すパチンコ機の全体正面図である。
【図２】本発明の第１の実施形態を示す遊技盤の背面図である。
【図３】本発明の第１の実施形態を示す集球ケース及び主基板ケースの分解斜視図である。
【図４】本発明の第１の実施形態を示す集球ケース及び主基板ケースの一部破断背面図である。
【図５】本発明の第１の実施形態を示す基板ケース装着部及び主基板ケースの平面断面図である。
【図６】本発明の第１の実施形態を示す基板ケース装着部及び主基板ケースの側面断面図である。
【図７】本発明の第１の実施形態を示す基板ケース装着部及び主基板ケースの要部斜視図である。
【図８】本発明の第１の実施形態を示す第２ケース体の背面図である。
【図９】本発明の第１の実施形態を示す第１ケース体の背面図である。
【図１０】本発明の第１の実施形態を示す主基板ケースの分解平面図である。
【図１１】本発明の第１の実施形態を示す第２ケース体及び第１ケース体の要部拡大背面図である。
【図１２】本発明の第１の実施形態を示す第２ケース体及び第１ケース体の要部拡大斜視図である。
【図１３】本発明の第１の実施形態を示す主基板ケースの封止部材の中心位置における側面断面図である。
【図１４】本発明の第１の実施形態を示す主基板ケースの封止部材と開封障害部との間における側面断面図である。
【図１５】本発明の第１の実施形態を示す主基板ケースの結合・封止手順を示す第１ステップの説明図である。
【図１６】本発明の第１の実施形態を示す主基板ケースの結合・封止手順を示す第２ステップの説明図である。
【図１７】本発明の第１の実施形態を示す主基板ケースの結合・封止手順を示す第３ステップの説明図である。
【図１８】本発明の第１の実施形態を示す主基板ケースの結合・封止手順を示す第４ステップの説明図である。
【図１９】本発明の第１の実施形態を示す主基板ケースの開封手順を示す説明図である。
【図２０】本発明の第２の実施形態を示す集球ケース及び主基板ケースの分解斜視図である。
【図２１】本発明の第２の実施形態を示す基板ケース装着部及び主基板ケースの平面断面図である。
【図２２】本発明の第３の実施形態を示す基板ケース装着部及び主基板ケースの平面断面図である。
【発明を実施するための形態】
【００１２】
以下、本発明の実施形態を図面に基づいて詳述する。図１〜図１９は本発明をパチンコ機に採用した第１の実施形態を例示している。なお、以下の説明における上下左右の方向については、特に基準を示さない限り遊技機本体を前側から見た場合の上下左右をいうものとする。
【００１３】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１４】
前枠３の上部側には遊技盤５が例えば前側から着脱自在に装着されると共に、遊技盤５の前側にガラス扉６が、ガラス扉６の下側に前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１５】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１６】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。
【００１７】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１８】
集球ケース２２の背面側には、主基板ケース２４が装着される主基板ケース装着部３１と、この主基板ケース装着部３１に装着された主基板ケース２４を外側から覆う固定カバー３２及び開閉カバー３３とが設けられている。
【００１９】
主基板ケース装着部３１に装着される主基板ケース２４は、全体として扁平な略矩形状であって、図３に示すように、互いに係脱自在の第１ケース体４１と第２ケース体４２とを備えると共に、その外周側の一辺、例えば左端側に沿って封止手段４３が設けられ、これら第１ケース体４１、第２ケース体４２、封止手段４３を含む全体が透明な合成樹脂により成形されている。
【００２０】
そして、主基板ケース２４内の空間は、図４〜図６等に示すように、封止手段４３に対応する封止領域２４ｂと、それ以外の基板格納領域２４ａとに区分されており、その基板格納領域２４ａ内に主制御基板２３が格納されている。主制御基板２３は矩形状であって、その一面側には、中央寄りの部分に例えばＲＯＭを内蔵したＣＰＵやＲＡＭ等の各種電子部品４４が配置され、また外縁部近傍には、コネクタ４５が装着されると共に位置決め孔４６及び固定孔４７が形成されている。
【００２１】
第２ケース体４２は、図３〜図８，図１０等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。
【００２２】
そして、上壁５１の内面側には、例えば左側の開口５６から所定距離内側（右周壁５４側）の位置に仕切り壁５７が右周壁５４と略平行に配置されている。この仕切り壁５７は、主基板ケース２４内の空間を封止領域２４ｂと基板格納領域２４ａとに仕切るもので、周壁５２〜５４と仕切り壁５７とで取り囲まれた領域が基板格納領域２４ａ、仕切り壁５７よりも開口５６側の領域が封止領域２４ｂとなっている。なお、仕切り壁５７の両端部と周壁５２，５３との間には夫々隙間５７ａが形成されている（図１３，図１４）。
【００２３】
上壁５１のうち、基板格納領域２４ａに対応する基板側上壁５１ａには、その内部に配置される主制御基板２３との間に電子部品４４の収容空間を確保できるように外向きに膨出する膨出部６１が形成されると共に、例えば周壁５２，５３，５４に沿って膨出部６１よりも低い段部６２が形成されている。
【００２４】
段部６２には、主制御基板２３側のコネクタ４５が内側から嵌合するコネクタ嵌合孔６３が１又は複数設けられており、またそのコネクタ嵌合孔６３を避けて、主制御基板２３側の位置決め孔４６に対応する１又は複数の位置決め突起６４が内向きに、主制御基板２３側の固定孔４７に対応するねじ止め用の固定基部６５が外向きに、夫々突設されている。
【００２５】
主制御基板２３は、電子部品装着面２３ａを上壁５１側に向けた状態で、位置決め孔４６に位置決め突起６４を嵌合させるように第２ケース体４２の基板格納領域２４ａ内に嵌め込まれ、固定孔４７を介して固定基部６５にねじ止めすることにより固定される。
【００２６】
上壁５１のうち、封止領域２４ｂに対応する封止側上壁５１ｂは、例えば基板側上壁５１ａとの境界部に沿って基板側上壁５１ａ側の段部６２と同じ高さに配置される低壁６６と、この低壁６６に対して開口５６側に設けられ且つ低壁６６よりも一段高い高壁６７とを備え、それら低壁６６と高壁６７との間はそれら低壁６６及び高壁６７に略垂直な起立壁６８により連結されている。高壁６７の外縁部には、外向きに突出する外周枠６９が例えばその全周にわたって一体に設けられている。
【００２７】
また、上下の周壁５２，５３には、外向き突出状の係合爪７０が、その開口５５側の縁部に沿って間欠的に複数設けられている。
【００２８】
第１ケース体４１は、図３〜図６，図９，図１０等に示すように、第２ケース体４２側の開口５５に対応する底壁７１と、第２ケース体４２側の開口５６に対応して底壁７１の一辺、即ち左辺から第２ケース体４２側に立設される側壁７２と、底壁７１の他の三辺、即ち上辺，下辺及び右辺に沿って第２ケース体４２側に立設される嵌合壁７３，７４，７５とを一体に備えており、第２ケース体４２と組み合わせたとき、底壁７１，側壁７２が夫々第２ケース体４２側の開口５５，５６を略閉鎖すると共に、嵌合壁７３〜７５が夫々第２ケース体４２側の周壁５２〜５４の外面側に嵌合するようになっている。
【００２９】
また、底壁７１には、第２ケース体４２側の上下の周壁５２，５３の内面側に沿う一対の案内壁７６，７７が、側壁７２の内面側から嵌合壁７５側に向けて上下の嵌合壁７３，７４の内側に平行に配置されている。これら案内壁７６，７７と嵌合壁７３，７４との間は、第２ケース体４２側の周壁５２，５３が摺動自在に嵌合する案内溝７８，７９となっている。
【００３０】
更に、上下の嵌合壁７３，７４には、第２ケース体４２側の係合爪７０が嵌脱自在に嵌合する複数の切り欠き部８１と、案内溝７８，７９に沿ってこれら切り欠き部８１に対して例えば封止領域２４ｂとは反対側（右側）に隣接して設けられ且つ係合爪７０が夫々係合する係止部８２とが形成されており、係合爪７０を夫々切り欠き部８１に嵌合させるように第２ケース体４２を第１ケース体４１に組み合わせ（アンロック状態）、第２ケース体４２を第１ケース体４１に対して封止領域２４ｂとは反対側（右側）に向けて相対的にスライドさせたとき（以下、この方向をスライド方向という）、係合爪７０が係止部８２に夫々係合して、第１ケース体４１と第２ケース体４２とが互いに結合状態でロックされる（ロック状態）ようになっている。
【００３１】
なお、第１ケース体４１と第２ケース体４２とを互いに組み合わせたとき、第１ケース体４１側の案内壁７６，７７は第２ケース体４２側の仕切り壁５７と周壁５２，５３との間の隙間５７ａに嵌合する（図１３，図１４）。また、第２ケース体４２側の周壁５２，５３には、アンロック状態のときに第１ケース体４１側の側壁７２との干渉を避けるための切り欠き部８３（図１０）が形成されている。
【００３２】
更に、第１ケース体４１の外周部、例えば左右両端側には、主基板ケース装着部３１に固定するための突設部８４，８５が外向きに一体形成されている。
【００３３】
封止手段４３は、主基板ケース２４の封止領域２４ｂに対応して、第２ケース体４２側の開口５６及び第１ケース体４１側の側壁７２に沿って例えば一列状に複数（ここでは４組）配置されている。各封止手段４３は、図８，図９，図１１〜図１５等に示すように、第１ケース体４１側の被結合部９１と、第２ケース体４２側の封止部材９２及び開封障害部９３とで構成されている。被結合部９１は、第１ケース体４１側の側壁７２の内面側に突設された嵌合支持部９４上に設けられている。嵌合支持部９４は、底壁７１に平行な板状で、底壁７１との間に所定距離をおいて側壁７２から内側、即ち封止領域２４ｂ側に張り出すように一体に形成されており、側壁７２に沿って複数（ここでは４つ）の被結合部９１が設けられている。
【００３４】
各被結合部９１は、例えばスライド方向に平行に設けられた１つの挿通スリット９５と、この挿通スリット９５の両側に平行に配置された一対の逃げ用スリット９６と、それら挿通スリット９５と逃げ用スリット９６との間に形成された一対の弾性係合部９７とを備えている。挿通スリット９５には、封止部材９２側の結合部１１３に対応してその略中央に拡幅部９５ａが形成されている。
【００３５】
また、嵌合支持部９４の第２ケース体４２側の面（以下、表面９４ａとする）には、各被結合部９１に対してその配列方向の両側、即ち逃げ用スリット９６の外側に互いに平行な一対の案内板９８，９８が第２ケース体４２の高壁６７側に向けて立設されている。また、案内板９８，９８の対向面側には、封止部材９２の側壁７２側に沿って規制部９９が突設されている。なお、嵌合支持部９４と底壁７１との間には、被結合部９１を避けた位置に複数の補強リブ１００が設けられている（図１３）。
【００３６】
封止部材９２及び開封障害部９３は、封止領域２４ｂに対応して第２ケース体４２側に形成された封止用開口部１０１内に配置されている。封止用開口部１０１は、第１ケース体４１側の被結合部９１に対応して複数（ここでは４つ）設けられており、夫々高壁６７から起立壁６８、低壁６６にわたる開口状に形成されている。
【００３７】
封止部材９２は、断面矩形状の軸部１１１と、この軸部１１１の一端側に設けられた鍔部１１２と、軸部１１１の他端側に設けられた台形状の結合部１１３と、鍔部１１２から上側に突出する被操作部１１４とを備え、封止用開口部１０１のうち、高壁６７に形成された高壁開口部１０１ａ内に配置され、損壊容易な１又は複数の保持部１１５を介して第２ケース体４２に一体成形されており、主基板ケース２４を封止する際には保持部１１５が損壊されて第２ケース体４２から切り離され、第１ケース体４１側に押し込まれて被結合部９１に離脱不能に結合するようになっている。
【００３８】
鍔部１１２は、例えば略矩形状に形成されており、高壁開口部１０１ａを略塞ぐように高壁開口部１０１ａ内に配置され、スライド方向に対する左右の両縁部１１２ａ，１１２ｂと、それらに対向する高壁開口部１０１ａ側の縁部との間が、損壊容易な１又は複数の保持部１１５により連結されている。
【００３９】
鍔部１１２には、スライド方向に対する左右の両縁部１１２ａ，１１２ｂと、スライド方向のロック状態側（基板格納領域２４ａ側）の縁部１１２ｃとに沿って側壁１１６ａ，１１６ｂと前壁１１６ｃとが被結合部９１側に向けて突設されている。
【００４０】
側壁１１６ａ，１１６ｂは、その外面側が被結合部９１側の案内板９８に、側壁７２側の縁部が被結合部９１側の規制部９９に夫々沿うように形成されており、保持部１１５を切断して封止部材９２を被結合部９１側に押し込んだとき、側壁１１６ａ，１１６ｂが案内板９８と規制部９９に沿って摺動することにより被結合部９１側に案内されるようになっている。なお規制部９９は、鍔部１１２が保持部１１５により連結されている状態ではその端部が側壁１１６ａ，１１６ｂに到達しない長さに設けられており（図１６等）、第１ケース体４１に対して第２ケース体４２をスライドさせる際に側壁１１６ａ，１１６ｂが規制部９９に干渉しないようになっている。
【００４１】
軸部１１１は、鍔部１１２の中心部から被結合部９１側に向けて突設され、例えばスライド方向に対する左右方向に偏平な断面矩形状に形成されており、その幅は被結合部９１側の拡幅部９５ａの内幅と略同じか若干小さく形成されている。
【００４２】
結合部１１３は、鍔部１１２が保持部１１５により連結されている状態ではその先端側が被結合部９１に到達せず（図１７等）、保持部１１５が切断されて封止部材９２が被結合部９１側に押し込まれ、鍔部１１２側が嵌合支持部９４の表面９４ａに当接したとき、被結合部９１の挿通スリット９５を貫通してその裏側に離脱不能に係合するようになっている（図１８等）。
【００４３】
被操作部１１４は、封止部材９２を被結合部９１側に向けて押圧する際の操作を容易にするためのもので、鍔部１１２の中心部から外向きに突出して設けられ、その中央に凹部１１４ａが形成されている。封止部材９２を被結合部９１側に向けて押圧する際には、この凹部１１４ａにドライバー等の先端部を押し当てることにより容易に操作可能である。
【００４４】
開封障害部９３は、封止用開口部１０１のうち、起立壁６８に形成された起立壁開口部１０１ｂから低壁６６に形成された低壁開口部１０１ｃにかけてその内側に配置され、損壊容易な第１，第２封止損壊部１２１，１２２を介して第２ケース体４２に一体成形されており、封止部材９２が第１ケース体４１側に結合したとき、その封止部材９２のスライド方向ロック側に当接又は略当接するようになっている。
【００４５】
開封障害部９３は、図１１，図１２，図１４，図１５等に示すように、例えば封止部材９２に対するスライド方向ロック側に立設された支持板１２３と、この支持板１２３から封止部材９２側に突設された当接部１２４とを備えている。支持板１２３は、起立壁開口部１０１ｂを略塞ぐように起立壁６８と同一平面上に配置され、内側端部が嵌合支持部９４の表面９４ａに当接又は近接しており、その内側端部近傍に当接部１２４が設けられている。当接部１２４は、封止部材９２が保持部１１５により第２ケース体４２側に連結されている状態では封止部材９２から離間しており（図１５，図１６）、封止部材９２が第２ケース体４２から切り離されて第１ケース体４１側に結合したとき（図１７）、その封止部材９２の前壁１１６ｃの外面側に当接又は近接するようになっている。
【００４６】
第１封止損壊部１２１は、図１４等に示すように、支持板１２３の外側端部におけるスライド方向左右両側と封止用開口部１０１の縁部又はその近傍、例えば高壁６７側の外周枠６９との間を夫々連結するように設けられ、主基板ケース２４の外側からニッパー等により容易に損壊可能となっている。
【００４７】
また、第２封止損壊部１２２は、図１１，図１２，図１５等に示すように、支持板１２３の内側端部と、低壁開口部１０１ｃの縁部又はその近傍、例えば低壁６６及び仕切り壁５７との間を、低壁開口部１０１ｃ内をスライド方向に横切って連結するように設けられ、例えばその外側縁部が低壁６６と略面一で、内側縁部が嵌合支持部９４の表面９４ａに当接又は近接する内外方向幅広状に形成されており、主基板ケース２４の外側からニッパー等により損壊可能となっている。
【００４８】
主制御基板２３が装着された第２ケース体４２を第１ケース体４１に装着して封止する際には、まず第２ケース体４２側の上下の周壁５２，５３を第１ケース体４１側の案内溝７８，７９に嵌合させ、第２ケース体４２側の係合爪７０を第１ケース体４１側の切り欠き部８１に嵌合させてアンロック状態に組み合わせる（図１５→図１６）。このとき、第２ケース体４２側の右周壁５４と第１ケース体４１側の右嵌合壁７５とは離間しており、第２ケース体４２側の封止部材９２は、第１ケース体４１側の側壁７２の内面側に当接又は近接した状態となる。
【００４９】
そして、第２ケース体４２と第１ケース体４１とを、それらの右周壁５４と右嵌合壁７５とを近づける方向に相対的にスライドさせて、第２ケース体４２側の係合爪７０を第１ケース体４１側の係止部８２に係合させ、第１ケース体４１と第２ケース体４２とを結合状態でロックする（図１６→図１７）。これにより、第２ケース体４２側の封止部材９２は、第１ケース体４１側の側壁７２から離間して、第１ケース体４１側の被結合部９１と内外方向に合致した状態となる。
【００５０】
続いて、複数（４組）の封止手段４３のうちの１つを用いて主基板ケース２４を封止する。即ち、まずニッパー等の切断工具を用いて、封止に用いる封止部材９２に連結されている全ての保持部１１５を切断してその封止部材９２を第２ケース体４２から切り離し、ドライバー等の工具の先端をその封止部材９２の被操作部１１４の凹部１１４ａに当てて、図１７に矢印で示すように内側、即ち第１ケース体４１側に押圧する。
【００５１】
これにより、封止部材９２はその先端側の結合部１１３が弾性係合部９７を両側に押し広げながら挿通スリット９５内に嵌合する。このとき、封止部材９２は、その周囲に設けられた案内板９８，９８、規制部９９及び当接部１２４に沿って摺動することにより押圧方向に真っ直ぐに案内される。そして、封止部材９２の鍔部１１２が嵌合支持部９４の表面９４ａに当接したとき、結合部１１３が挿通スリット９５を貫通して弾性係合部９７の裏側に係合し、その封止部材９２は第２ケース体４２から完全に独立した状態で第１ケース体４１側に離脱不能に結合した状態となる（図１８）。
【００５２】
このとき、その封止部材９２に対応する開封障害部９３の当接部１２４が、その封止部材９２のスライド方向ロック側の面、即ち前壁１１６ｃの外面側に当接又は近接した状態となる。従って、その状態で、第２ケース体４２と第１ケース体４１とを開方向、即ちそれらの右周壁５４と右嵌合壁７５とを離間させる方向に相対的にスライドさせようとしても、第１ケース体４１側に結合している封止部材９２が、当接部１２４を介して第２ケース体４２の開方向への相対移動を規制するため、そのままでは主基板ケース２４を開封することはできない。
【００５３】
検査等のために主基板ケース２４を開封する場合には、封止状態となっている封止手段４３の第１，第２封止損壊部１２１，１２２をニッパー等の切断工具を用いて切断し、図１９（ａ）に示すように、開封障害部９３を第２ケース体４２から切り離して除去する。これにより、起立壁開口部１０１ｂ及び低壁開口部１０１ｃが開放され、第２ケース体４２を第１ケース体４１に対してアンロック方向にスライドさせる際に封止部材９２に規制される部分がなくなるため（図１９（ｂ））、主基板ケース２４を開封することができる。
【００５４】
以上説明した主基板ケース２４が装着される主基板ケース装着部３１は、図３〜図７に示すように、集球ケース２２の背面側に設けられた装着開口部１３１と、その装着開口部１３１の上下両縁側に沿って配置される一対の装着レール１３２と、主基板ケース２４の一端側を支持する第１支持手段１３３と、主基板ケース２４の他端側を支持する第２支持手段１３４とを備えている。
【００５５】
装着開口部１３１は、主基板ケース２４に対応する略矩形状に形成され、その上下両縁側に沿って装着レール１３２が内向き突出状に延設されている。第１支持手段１３３は、主基板ケース２４の一端側、例えば左端側を支持するもので、主基板ケース２４側の突設部８４が係合可能な凹部により構成されており、突設部８４に対応して装着開口部１３１の左端側に設けられている。第２支持手段１３４は、主基板ケース２４の他端側、例えば右端側を解除可能に支持するもので、主基板ケース２４側の突設部８５に係合する係合位置と係合しない解除位置とに切り換え可能な締結つまみにより構成されており、突設部８５に対応して装着開口部１３１の右端側に設けられている。
【００５６】
また、装着開口部１３１の後側には、固定カバー３２と開閉カバー３３とが設けられている。固定カバー３２は、主基板ケース装着部３１に装着された主基板ケース２４の外側から封止損壊部１２１，１２２を覆う封止カバーの一例であって、主基板ケース２４の封止側上壁５１ｂに沿って主基板ケース装着部３１と略平行に配置されるカバー板部１４１と、主基板ケース２４側の上下の周壁５２，５３及び左端側の側壁７２に沿ってカバー板部１４１の縁部と主基板ケース装着部３１とを連結する連結板部１４２とで主基板ケース２４の着脱側、即ち右側が開放する箱形に形成され、主基板ケース装着部３１の左端部後側に一体に設けられている。
【００５７】
カバー板部１４１は、第１，第２封止損壊部１２１，１２２を含む封止手段４３の略全体を覆う大きさの矩形板状に形成されている。なお、封止手段４３による封止／開封状態が外側から視認可能なように、固定カバー３２は少なくともカバー板部１４１を透明とすることが望ましい。
【００５８】
開閉カバー３３は、主基板ケース２４の外側から少なくとも主制御基板２３のＲＯＭ装着部分（ＣＰＵにＲＯＭを内蔵している場合にはそのＣＰＵ装着部分）を開閉自在に覆う電子部品カバーの一例であって、例えば主基板ケース装着部３１における固定カバー３２と反対側の端部、即ち右端側から主基板ケース２４側の右嵌合壁７５に沿って後ろ向きに延設された支持板部１５１と、主基板ケース２４の背面側、即ち上壁５１に沿って配置されるカバー板部１５２とで構成されている。
【００５９】
支持板部１５１には、主基板ケース装着部３１側の第２支持手段１３４に対応して切り欠き部１５１ａ（図３）が形成されており、主基板ケース２４が主基板ケース装着部３１に装着されるとき、第２支持手段１３４がこの切り欠き部１５１ａを介して主基板ケース２４側の突設部８５に係合するようになっている。
【００６０】
カバー板部１５２は、主基板ケース２４の基板格納領域２４ａの略全体を覆う大きさの略矩形状で、その一端側が一体型のヒンジ部１５３を介して支持板部１５１の後端側に揺動自在に連結されており、このヒンジ部１５３により、主基板ケース２４を主基板ケース装着部３１に着脱可能な開状態と主基板ケース装着部３１に装着された主基板ケース２４の後側を覆う閉状態とに切り換え可能となっている。なお、ヒンジ部１５３は、例えばカバー板部１５２と支持板部１５１とを一体的に連結しており、カバー板部１５２の開閉範囲内で繰り返し変形可能となっている。
【００６１】
また、カバー板部１５２は、カバー結合手段１５４により閉状態で主基板ケース２４側に現状復帰不能に結合されるようになっている。カバー結合手段１５４は、カバー板部１５２のヒンジ部１５３とは反対側の開閉端側に沿って例えば一列状に複数（ここでは４組）配置されており、夫々主基板ケース２４側のねじ螺合部１６１と、カバー板部１５２側のねじ挿通部１６２と、このねじ挿通部１６２側からねじ螺合部１６１側に離脱不能に螺合する結合ねじ１６３とを備えている。
【００６２】
ねじ螺合部１６１は、カバー板部１５２の開閉端側に対応して膨出部６１の左端側近傍に配置されており、例えば膨出部６１の外側に向けて突出する外突出部１６１ａと、膨出部６１の内側に向けて突出する内突出部１６１ｂと、外突出部１６１ａ側から内突出部１６１ｂ側に向けて設けられ且つ内側に貫通しない結合ねじ１６３用の螺合孔１６１ｃとを備えている。
【００６３】
ねじ挿通部１６２は、カバー板部１５２の端縁に沿って設けられた開口部（又は凹入部）１６４内に夫々ねじ螺合部１６１に対応して配置されており、カバー板部１５２と同一平面上に配置された固定板１６５と、この固定板１６５から外向き膨出状に形成され且つその内側にねじ螺合部１６１の外突出部１６１ａが嵌合可能な嵌合膨出部１６６と、この嵌合膨出部１６６に設けられ且つねじ螺合部１６１側の螺合孔１６１ｃに対応する結合ねじ１６３用の挿通孔１６７と、この挿通孔１６７に対応して嵌合膨出部１６６の外側に突設された略筒状のねじ保持部１６８とを備え、１又は複数の結合損壊部１６９を介してカバー板部１５２側に一体的に連結されている。
【００６４】
ねじ保持部１６８は、例えばその内径が結合ねじ１６３の頭部１６３ａの外径と略等しい略円筒状で、その内部に結合ねじ１６３が軸部１６３ｂの先端側を挿通孔１６７に挿入した状態で内向きに装着されている。なお、ねじ保持部１６８には、その周方向の複数箇所に軸方向のスリット１７０が設けられ、そのスリット１７０により分割された各保持片１６８ａの外側端部に内向きの突起部１７１が設けられており、結合ねじ１６３は、各保持片１６８ａを半径方向外向きに弾性変形させつつねじ保持部１６８内に圧入されている。
【００６５】
結合ねじ１６３は、タッピング式の一方向ねじであって、頭部１６３ａ側に一方向係合溝１７２が設けられており、この一方向係合溝１７２に係合するドライバー等の工具により締め付け方向にのみ操作可能となっている。
【００６６】
主基板ケース２４を主基板ケース装着部３１に装着する際には、開閉カバー３３のカバー板部１５２を後側に開いた状態で、主基板ケース２４を、その前面側（第１ケース体４１の外面側）を装着レール１３２に沿わせつつ、左端側を固定カバー３２に嵌め込んで突設部８４を固定カバー３２内の第１支持手段１３３に嵌合させる。そして、第２支持手段１３４を解除位置から係合位置に切り換えて突設部８５を係止する。これにより、主基板ケース２４はその封止損壊部１２１，１２２が固定カバー３２により覆われた状態で主基板ケース装着部３１に固定される。
【００６７】
その後、カバー板部１５２を閉じ、複数のカバー結合手段１５４のうちの１つについて結合ねじ１６３の頭部１６３ａにドライバー等の工具を係合させ、この結合ねじ１６３をねじ挿通部１６２からねじ螺合部１６１に螺合させて締結する。これにより、主基板ケース２４は、カバー結合手段１５４による結合を解除しない限り主基板ケース装着部３１から取り外すことはできず、また主基板ケース２４はその基板格納領域２４ａの略全体がカバー板部１５２により覆われているため、そのままでは例えば主基板ケース２４に穴を空けて内部のＲＯＭを不正ＲＯＭに交換するといった行為も少なくとも短時間で行うことは困難である。
【００６８】
主基板ケース２４を開封するためには、まず主基板ケース２４を主基板ケース装着部３１から取り外して封止損壊部１２１，１２２を露出させる必要がある。そのためには、まず開閉カバー３３の結合損壊部１６９をニッパー等の切断具を用いて損壊し、カバー結合手段１５４による結合を解除してカバー板部１５２を開放する。なお、封止損壊部１２１，１２２が損壊されると、その封止損壊部１２１，１２２でカバー板部１５２に連結されていたねじ挿通部１６２は、結合ねじ１６３によりねじ螺合部１６１に結合されたまま主基板ケース２４側に残される。
【００６９】
そして、第２支持手段１３４を係合位置から解除位置に切り換えて突設部８５の係止を解除すれば、主基板ケース２４を主基板ケース装着部３１から取り外すことができる。主基板ケース２４の開封手順は上述した通りである。
【００７０】
以上説明したように、本実施形態のパチンコ機では、主基板ケース装着部３１に設けられ且つ主基板ケース２４の外側から封止損壊部１２１，１２２を覆う固定カバー３２と、主基板ケース装着部３１に設けられ且つ主基板ケース２４の外側から少なくとも主制御基板２３のＲＯＭ装着部分を覆う開閉カバー３３と、固定カバー３２と開閉カバー３３との少なくとも一方を主基板ケース２４に結合するカバー結合手段１５４とを備えているため、主基板ケース２４の取り外し及び開封に従来よりも時間と手間を要すると共に、主基板ケース２４を装着したままの状態で主基板ケース２４に穴を空けることが困難であり、主基板ケース２４に格納された主制御基板２３に対するゴト行為を効果的に防止できる。
【００７１】
また、カバー結合手段１５４による結合後は結合損壊部１６９を損壊しなければその結合状態を解除できないように構成されているため、主基板ケース２４の開封履歴だけでなく主基板ケース２４の取り外し履歴も管理することができる。
【００７２】
図２０及び図２１は本発明の第２の実施形態を例示し、封止カバーと電子部品カバーとを１つの開閉カバー上に設けた例を示している。
【００７３】
本実施形態のパチンコ機では、集球ケース２２の背面側に、主基板ケース装着部３１と、この主基板ケース装着部３１に装着された主基板ケース２４を外側から覆う開閉カバー１８１とが設けられている。
【００７４】
主基板ケース装着部３１は、第１の実施形態と同様、集球ケース２２の背面側に設けられた装着開口部１３１と、その装着開口部１３１の上下両縁側に沿って配置される装着レール１３２と、装着開口部１３１の左端側に設けられ且つ主基板ケース２４の一端側を支持する第１支持手段１３３と、装着開口部１３１の右端側に設けられ且つ主基板ケース２４の他端側を支持する第２支持手段１３４とを備えている。
【００７５】
なお、本実施形態では、主基板ケース装着部３１への主基板ケース２４の装着方向が左右逆で、右側の第２支持手段１３４により主基板ケース２４の封止手段４３側の突設部８４を、左側の第１支持手段１３３により主基板ケース２４の他端側の突設部８５を夫々支持するようになっている。本実施形態で用いる主基板ケース２４は第１の実施形態のものと略同一であるが、突設部８４，８５の配置位置が、対応する第２，第１支持手段１３４，１３３の配置位置に合わせて若干変更されている。
【００７６】
開閉カバー１８１は、主基板ケース装着部３１に装着された主基板ケース２４の外側から封止損壊部１２１，１２２を覆う封止カバーとしての機能と、主基板ケース２４の外側から少なくとも主制御基板２３のＲＯＭ装着部分を覆う電子部品カバーとしての機能とを併せ持つもので、例えば主基板ケース装着部３１における主基板ケース２４の封止手段４３側、即ち右端側から主基板ケース２４側の側壁７２に沿って後ろ向きに延設された支持板部１５１と、主基板ケース２４の背面側、即ち上壁５１に沿って配置されるカバー板部１５２とで構成されている。
【００７７】
支持板部１５１には、主基板ケース装着部３１側の第２支持手段１３４に対応して切り欠き部１５１ａが形成されており、主基板ケース２４が主基板ケース装着部３１に装着されるとき、第２支持手段１３４がこの切り欠き部１５１ａを介して主基板ケース２４側の突設部８４に係合するようになっている。
【００７８】
カバー板部１５２は、主基板ケース２４側の封止側上壁５１ｂに沿ってこの封止側上壁５１ｂを略覆う大きさに形成された封止カバー部１５２ａと、主基板ケース２４側の基板側上壁５１ａに沿ってこの基板側上壁５１ａを略覆う大きさに形成された電子部品カバー部１５２ｂと、それら封止カバー部１５２ａと電子部品カバー部１５２ｂとを連結する連結部１５２ｃとを一体に備え、封止カバー部１５２ａ側の端部が一体型のヒンジ部１５３を介して支持板部１５１の後端側に揺動自在に連結されており、このヒンジ部１５３により、主基板ケース２４を主基板ケース装着部３１に着脱可能な開状態と主基板ケース装着部３１に装着された主基板ケース２４の後側を覆う閉状態とに切り換え可能となっている。
【００７９】
また、カバー板部１５２は、カバー結合手段１５４により閉状態で主基板ケース２４側に現状復帰不能に固定されるようになっている。カバー結合手段１５４は、例えばカバー板部１５２の開閉端側に沿って例えば一列状に複数（ここでは４組）配置されており、その構成は、主基板ケース２４上におけるねじ螺合部１６１の配置位置以外は第１の実施形態と同一である。
【００８０】
このように、封止カバーと電子部品カバーとを１つの開閉カバー１８１上に設けることも可能である。
【００８１】
図２２は本発明の第３の実施形態を例示し、第１の実施形態を変更して、開閉カバー３３に、主制御基板２３のコネクタ４５に接続されたハーネス側コネクタ１８２の離脱方向への移動を規制するコネクタ規制部１８３を設けた例を示している。
【００８２】
コネクタ規制部１８３は、各ハーネス側コネクタ１８２に対応して、カバー板部１５２の内面側（主基板ケース２４側）に突設されており、ハーネス側コネクタ１８２から引き出されているハーネス１８４と干渉しないように、例えば各ハーネス側コネクタ１８２の両肩部分に対応して設けられている。
【００８３】
このように、開閉カバー３３にコネクタ規制部１８３を設けることにより、開閉カバー３３を閉じた状態ではハーネス側コネクタ１８２を抜き取ることができなくなり、例えばコネクタ４５からハーネス側コネクタ１８２を取り外し、不正基板等の不正部品を接続するといったゴト行為を効果的に防止できる。
【００８４】
以上、本発明の実施形態について詳述したが、本発明はこれらの実施形態に限定されるものではなく、本発明の趣旨を逸脱しない範囲で種々の変更が可能である。例えば、封止カバーと電子部品カバーとは、基板ケース装着部に対して何れか一方を固定的に設け、他方を開閉可能に設けてもよいし、両方を固定的又は開閉可能に設けてもよい。
【００８５】
基板ケース２４は封止可能な２つのケース体で形成されていればよく、その結合構造や封止手段の構成は任意である。また、封止カバーや電子部品カバーを基板ケース２４に結合するカバー結合手段１５４の構成も任意であり、例えば基板ケースの封止手段として一般的に用いられている構成をこのカバー結合手段１５４に用いることが可能である。
【００８６】
電子部品カバーは、少なくとも基板２３のＲＯＭ装着部分を覆うように設ける必要があるが、そのＲＯＭ装着部分周辺だけでなく基板ケース２４のできるだけ広い範囲を覆うように設けることが望ましい。また、ＲＯＭはＣＰＵに内蔵されているものとそうでないものとが考えられるが、ＣＰＵに内蔵されている場合にはそのＣＰＵ装着部分を覆うように電子部品カバーを設ければよい。
【００８７】
電子部品カバーは少なくとも電子部品を覆う部分の厚みを全面均一とすることは勿論、所定の部分（例えばＣＰＵ装着部分及び／又はＣＰＵ装着部分近傍領域）を異なる厚さに成形するようにしてもよい。これにより、基板ケースに穴を空けて行うゴトをより効果的に防止できる。更に、厚み部分を例えば凸レンズ等のレンズ状とすることで電子部品表面の視認性が向上し確認が容易となる。
【００８８】
コネクタ規制部１８３は、基板ケース装着部３１に開閉可能に設けられた封止カバー又は電子部品カバーに設けてもよいし、開閉可能に設けた封止カバー又は電子部品カバーに設けてもよい。また、コネクタ規制部１８３は、ハーネス側コネクタ１８２の抜けを防止できるものであればその形状等は任意である。
【００８９】
実施形態では、カバー結合手段１５４等を主基板ケース２４に対して設けた例を示したが、演出制御基板２５を格納した演出基板ケース２６、払い出し制御基板を格納した払い出し基板ケース等、各種基板ケースに対して同様の構成を採用可能である。
【００９０】
また、実施形態では本発明をパチンコ機に適用した例を示したが、アレンジボール機、スロットマシン等の各種遊技機において同様に実施可能であることは言うまでもない。
【符号の説明】
【００９１】
１  遊技機本体
２３  主制御基板（基板）
２４  主基板ケース（基板ケース）
３１  主基板ケース装着部（基板ケース装着部）
３２  固定カバー（封止カバー）
３３  開閉カバー（電子部品カバー）
４１  第１ケース体
４２  第２ケース体
４３  封止手段
４４  電子部品
４５  コネクタ
６３  コネクタ嵌合孔
１２１  第１封止損壊部
１２２  第２封止損壊部
１５４  カバー結合手段
１６９  結合損壊部
１８１  開閉カバー（封止カバー，電子部品カバー）
１８２  ハーネス側コネクタ
１８３  コネクタ規制部
【図１】
2010279819.tif 000003
【図２】
2010279819.tif 000004
【図３】
2010279819.tif 000005
【図４】
2010279819.tif 000006
【図５】
2010279819.tif 000007
【図６】
2010279819.tif 000008
【図７】
2010279819.tif 000009
【図８】
2010279819.tif 000010
【図９】
2010279819.tif 000011
【図１０】
2010279819.tif 000012
【図１１】
2010279819.tif 000013
【図１２】
2010279819.tif 000014
【図１３】
2010279819.tif 000015
【図１４】
2010279819.tif 000016
【図１５】
2010279819.tif 000017
【図１６】
2010279819.tif 000018
【図１７】
2010279819.tif 000019
【図１８】
2010279819.tif 000020
【図１９】
2010279819.tif 000021
【図２０】
2010279819.tif 000022
【図２１】
2010279819.tif 000023
【図２２】
2010279819.tif 000024
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
第１ケース体（４１）と第２ケース体（４２）とで開閉可能に構成され且つ各種電子部品（４４）が装着された基板（２３）を格納可能な基板ケース（２４）と、前記第１ケース体（４１）と前記第２ケース体（４２）とを閉鎖状態で封止可能な封止手段（４３）と、遊技機本体（１）に設けられ且つ前記基板ケース（２４）を装着可能な基板ケース装着部（３１）とを備え、前記基板ケース（２４）は、前記封止手段（４３）による封止後は所定の封止損壊部（１２１，１２２）を損壊しなければ開封できないように構成された遊技機において、前記基板ケース装着部（３１）に設けられ且つ前記基板ケース（２４）の外側から前記封止損壊部（１２１，１２２）を覆う封止カバー（３２，１８１）と、前記基板ケース装着部（３１）に設けられ且つ前記基板ケース（２４）の外側から所定の電子部品（４４）の装着部分を覆う電子部品カバー（３３，１８１）と、前記封止カバー（３２，１８１）と前記電子部品カバー（３３，１８１）との少なくとも一方を前記基板ケース（２４）に結合することにより前記基板ケース（２４）と前記基板ケース装着部（３１）とを連結するカバー結合手段（１５４）とを備えたことを特徴とする遊技機。
【手続補正２】
【補正対象書類名】明細書
【補正対象項目名】０００９
【補正方法】変更
【補正の内容】
【０００９】
本発明は、第１ケース体４１と第２ケース体４２とで開閉可能に構成され且つ各種電子部品４４が装着された基板２３を格納可能な基板ケース２４と、前記第１ケース体４１と前記第２ケース体４２とを閉鎖状態で封止可能な封止手段４３と、遊技機本体１に設けられ且つ前記基板ケース２４を装着可能な基板ケース装着部３１とを備え、前記基板ケース２４は、前記封止手段４３による封止後は所定の封止損壊部１２１，１２２を損壊しなければ開封できないように構成された遊技機において、前記基板ケース装着部３１に設けられ且つ前記基板ケース２４の外側から前記封止損壊部１２１，１２２を覆う封止カバー３２，１８１と、前記基板ケース装着部３１に設けられ且つ前記基板ケース２４の外側から所定の電子部品４４の装着部分を覆う電子部品カバー３３，１８１と、前記封止カバー３２，１８１と前記電子部品カバー３３，１８１との少なくとも一方を前記基板ケース２４に結合することにより前記基板ケース２４と前記基板ケース装着部３１とを連結するカバー結合手段１５４とを備えたものである。